(57)【特許請求の範囲】
【請求項１】
吸入口および第１の吹出口が形成された装置ケースと、当該装置ケース内部に配設されて前記吸入口および前記第１の吹出口を連通する空気案内用流路と、当該空気案内用流路内に配設されたファンと、オゾンを生成すると共に２つのオゾン排出口を有し一方の当該オゾン排出口が前記空気案内用流路に連結されたオゾン生成部と、前記空気案内用流路内に配設されたオゾン分解用触媒とを備え、前記吸入口を介して前記ファンによって前記空気案内用流路内に導入された空気に含まれている臭気成分を前記生成された前記オゾンで消臭処理し、当該消臭処理後の空気に含まれている残留オゾンを前記オゾン分解用触媒によって分解処理し、当該分解処理後の空気を前記第１の吹出口を介して前記装置ケースの外部に放出する消臭装置であって、
前記オゾン生成部の他方の前記オゾン排出口と前記第１の吹出口との間に配設されたオゾン案内用流路を備え、前記オゾン生成部によって生成されたオゾンの一部を前記オゾン案内用流路および前記第１の吹出口を介して前記装置ケースの外部に放出することを特徴とする消臭装置。
【請求項２】
吸入口および第１の吹出口が形成された装置ケースと、当該装置ケース内部に配設されて前記吸入口および前記第１の吹出口を連通する空気案内用流路と、当該空気案内用流路内に配設されたファンと、オゾンを生成すると共に２つのオゾン排出口を有し一方の当該オゾン排出口が前記空気案内用流路に連結されたオゾン生成部と、前記空気案内用流路内に配設されたオゾン分解用触媒とを備え、前記吸入口を介して前記ファンによって前記空気案内用流路内に導入された空気に含まれている臭気成分を前記生成された前記オゾンで消臭処理し、当該消臭処理後の空気に含まれている残留オゾンを前記オゾン分解用触媒によって分解処理し、当該分解処理後の空気を前記第１の吹出口を介して前記装置ケースの外部に放出する消臭装置であって、
前記装置ケースに形成された第２の吹出口と、前記オゾン生成部の他方の前記オゾン排出口と前記第２の吹出口との間に配設されたオゾン案内用流路とを備え、前記オゾン生成部によって生成されたオゾンの一部を前記オゾン案内用流路および前記第２の吹出口を介して前記装置ケースの外部に放出することを特徴とする消臭装置。
【請求項３】
前記オゾン案内用流路内における前記オゾンの流量を調節するための流量調節手段が当該オゾン案内用流路内に配設されていることを特徴とする請求項１または２記載の消臭装置。
【請求項４】
前記第２の吹出口を介して前記装置ケースの外部に放出される前記オゾンの量を調節するための放出量調節手段が当該第２の吹出口に配設されていることを特徴とする請求項２記載の消臭装置。
【発明の詳細な説明】
【０００１】
【発明の属する技術分野】
本発明は、オゾン生成部を備え、このオゾン生成部によって生成されたオゾンを用いて空気中の臭気成分を消臭処理する消臭装置に関するものである。
【０００２】
【従来の技術】
この種の消臭装置として、図３に示す消臭装置５１が従来から知られている。この消臭装置５１は、消臭対象空間内に設置可能に構成され、オゾンを生成するオゾン生成部５３、オゾン分解用触媒４、ファン２、および、これらを収納する装置ケース６を備えている。また、装置ケース６には、吸入口７と吹出口８とが形成されている。この場合、吸気口７と第１の吹出口８とは、密閉された流路９で連通されており、この流路９内に、オゾン分解用触媒４およびファン２が順に配設され、かつ、吸気口７およびオゾン分解用触媒４の間の流路９と、オゾン生成部５３のオゾン排出口５３ａとが連結されている。また、オゾン生成部５３は、一例として高電圧を利用してオゾンを生成可能に構成されている。さらに、オゾン分解用触媒５２は、活性炭、マンガン、チタン、または銀等を用いて構成され、オゾンを分解する機能を有する。
【０００３】
この消臭装置５１では、ファン２が駆動されると、装置ケース６内の空気が吹出口８から吹き出されるため、装置ケース６の内部が負圧となる。このため、消臭対象空間内の空気が吸入口７を介して流路９に吸入される。この際に、流路９に吸入された空気は、オゾン生成部５３によって生成されたオゾンの濃度が高いオゾン領域、オゾン分解用触媒４の内部、ファン２、および吹出口８を経由して消臭対象空間内に放出される。この場合、流路９に吸入された空気がオゾン領域を通過する際には、吸入された空気に含まれている臭気成分とオゾンとが反応することにより、この臭気成分が非臭気成分に変化して消臭される。また、オゾン領域を通過した空気がオゾン分解用触媒４を通過する際には、オゾン分解用触媒４が、通過する空気に含まれている残留オゾンを分解して無害化する。この結果、無害化された空気が、ファン２の送風圧によって吹出口８を介して消臭対象空間内に放出される。
【０００４】
【発明が解決しようとする課題】
ところが、この消臭装置５１には、以下の問題点がある。すなわち、消臭装置５１では、消臭対象空間内の空気を装置ケース６内の流路９に吸入してオゾンによって消臭処理すると共に、残留オゾンを分解処理してオゾンが含まれていない空気を消臭対象空間内に放出している。したがって、消臭装置５１は、消臭対象空間内の空気に含まれている臭気成分を消臭することはできるものの、消臭対象空間を構成する壁等の表面に付着している臭気成分の発生源については、空気を介して流路９に吸入できないため、消臭処理することが困難となる。このため、従来の消臭装置５１には、壁等の表面に付着した臭気成分等を消臭処理できないことに起因して、消臭処理効果が小さく、即効性も低いという問題点がある。
【０００５】
本発明は、かかる問題点に鑑みてなされたものであり、消臭対象空間内の空気に含まれている臭気成分のみならず、壁等の表面に付着している臭気成分の発生源を直接的に消臭処理し得る消臭装置を提供することを主目的とする。
【０００６】
【課題を解決するための手段】
上記目的を達成すべく請求項１記載の消臭装置は、吸入口および第１の吹出口が形成された装置ケースと、当該装置ケース内部に配設されて前記吸入口および前記第１の吹出口を連通する空気案内用流路と、当該空気案内用流路内に配設されたファンと、オゾンを生成すると共に２つのオゾン排出口を有し一方の当該オゾン排出口が前記空気案内用流路に連結されたオゾン生成部と、前記空気案内用流路内に配設されたオゾン分解用触媒とを備え、前記吸入口を介して前記ファンによって前記空気案内用流路内に導入された空気に含まれている臭気成分を前記生成されたオゾンで消臭処理し、当該消臭処理後の空気に含まれている残留オゾンを前記オゾン分解用触媒によって分解処理し、当該分解処理後の空気を前記第１の吹出口を介して前記装置ケースの外部に放出する消臭装置であって、前記オゾン生成部の他方の前記オゾン排出口と前記第１の吹出口との間に配設されたオゾン案内用流路を備え、前記オゾン生成部によって生成されたオゾンの一部を前記オゾン案内用流路および前記第１の吹出口を介して前記装置ケースの外部に放出することを特徴とする。
【０００７】
請求項２記載の消臭装置は、吸入口および第１の吹出口が形成された装置ケースと、当該装置ケース内部に配設されて前記吸入口および前記第１の吹出口を連通する空気案内用流路と、当該空気案内用流路内に配設されたファンと、オゾンを生成すると共に２つのオゾン排出口を有し一方の当該オゾン排出口が前記空気案内用流路に連結されたオゾン生成部と、前記空気案内用流路内に配設されたオゾン分解用触媒とを備え、前記吸入口を介して前記ファンによって前記空気案内用流路内に導入された空気に含まれている臭気成分を前記生成されたオゾンで消臭処理し、当該消臭処理後の空気に含まれている残留オゾンを前記オゾン分解用触媒によって分解処理し、当該分解処理後の空気を前記第１の吹出口を介して前記装置ケースの外部に放出する消臭装置であって、前記装置ケースに形成された第２の吹出口と、前記オゾン生成部の他方の前記オゾン排出口と前記第２の吹出口との間に配設されたオゾン案内用流路とを備え、前記オゾン生成部によって生成されたオゾンの一部を前記オゾン案内用流路および前記第２の吹出口を介して前記装置ケースの外部に放出することを特徴とする。
【０００８】
請求項３記載の消臭装置は、請求項１または２記載の消臭装置において、前記オゾン案内用流路内における前記オゾンの流量を調節するための流量調節手段が当該オゾン案内用流路内に配設されていることを特徴とする。
【０００９】
請求項４記載の消臭装置は、請求項２記載の消臭装置において、前記第２の吹出口を介して前記装置ケースの外部に放出される前記オゾンの量を調節するための放出量調節手段が当該第２の吹出口に配設されていることを特徴とする。
【００１０】
【発明の実施の形態】
以下、添付図面を参照して、本発明に係る消臭装置の好適な実施の形態について説明する。なお、従来の消臭装置５１と同一の構成要素については同一の符号を付して、重複する説明は省略する。
【００１１】
消臭装置１は、図１に示すように、ファン２、２つのオゾン排出口３ａ，３ｂを有するオゾン生成部３、オゾン分解用触媒４、オゾン案内用流路５、および、これらを収納する装置ケース６とを備え、消臭処理のほか、エチレンなどの有機化合物の分解処理、殺菌処理等が可能に構成されている。この場合、装置ケース６には、吸入口７と吹出口（第１の吹出口）８とが形成されている。また、吸気口７と吹出口８とは、密閉された流路（空気案内用流路）９で連通されており、この流路９内に、ファン２およびオゾン分解用触媒４が順に配設され、かつ、ファン２およびオゾン分解用触媒４の間の流路９とオゾン生成部３の一方のオゾン排出口３ａとが連結されている。さらに、オゾン案内用流路５は、オゾン生成部３の他方のオゾン排出口３ｂと吹出口８とを密閉状態で連通して、オゾン生成部３によって生成されたオゾンの一部を吹出口８に案内する。
【００１２】
この消臭装置１では、ファン２が駆動されると、装置ケース６内の空気が吹出口８から吹き出されると共に消臭対象空間内の空気が吸入口７を介して装置ケース６内の流路９に吸入される。この際に、流路９に吸入された空気は、オゾン生成部３によって生成されたオゾンの濃度が高いオゾン領域（オゾン生成部３のオゾン排出口３ａ近傍）、オゾン分解用触媒４の内部、および吹出口８を経由して消臭対象空間内に放出される。この場合、装置ケース６内に吸入された空気がオゾン領域を通過する際には、吸入された空気に含まれている臭気成分とオゾンとが反応することにより、この臭気成分が非臭気成分に変化して消臭される。また、オゾン領域を通過した空気がオゾン分解用触媒４を通過する際には、オゾン分解用触媒４が、通過する空気に含まれている残留オゾンを分解して無害化する。この結果、無害化された空気が、ファン２の送風圧によって吹出口８を介して消臭対象空間内に放出される。この際に、オゾン生成部３によって生成されたオゾンの一部（微量）も、オゾン排出口３ｂおよびオゾン案内用流路５を介して吹出口８に案内される。このため、オゾン分解用触媒４によって無害化された空気と微量のオゾンとが、吹出口８を介して消臭対象空間内に放出される。この結果、消臭対象空間に放出された微量のオゾンが、消臭対象空間を構成する壁面等に付着した臭気成分の発生源を直接的に消臭する。
【００１３】
以上のように、この消臭装置１によれば、流路９に吸入した消臭対象空間内の空気に含まれている臭気成分を消臭できるだけでなく、消臭対象空間に微量のオゾンを放出することにより、壁面等に付着した臭気成分の発生源をオゾンによって直接的に消臭することができる。したがって、臭気成分の発生源が消臭されるため、大きな消臭効果と優れた即効性とを有する消臭装置を構成することができる。
【００１４】
次に、消臭装置１１について説明する。なお、上述した消臭装置１と同一の構成については同一の符号を付し、重複する説明は省略する。
【００１５】
消臭装置１１は、トイレ等の消臭対象空間内に設置可能に構成され、図２に示すように、ファン２、オゾン生成部３、オゾン分解用触媒４、オゾン案内用流路５、および、これらを収納する装置ケース６とを備えている。この場合、装置ケース６には、吸入口７、吹出口８、および吹出口（第２の吹出口）１２が形成されている。また、吹出口１２には、放出するオゾン量を調整するための放出量調節手段１３が配設されている。この放出量調節手段１３は、例えば、調整用レバーの操作に応じてスライドまたは回転可能な遮蔽板で構成され、吹出口１２の開口部分に取り付けられている。この場合、調整用レバーが操作された際には、遮蔽板が操作レバーの操作量に比例してスライドまたは回転させられ、これにより、吹出口１２の開口面積が任意に調節される。この結果、吹出口１２から放出されるオゾン量が調整される。
【００１６】
この消臭装置１１でも、消臭装置１と同様にして、装置ケース６内に吸入された空気に含まれている臭気成分とオゾンとが反応することにより、この臭気成分が非臭気成分に変化して消臭され、かつ、消臭された空気がオゾン分解用触媒４によって無害化されて吹出口８から消臭対象空間に放出される。また、オゾン生成部３によって生成されたオゾンの一部（微量）が、オゾン排出口３ｂ、オゾン案内用流路５および吹出口１２を介して消臭対象空間内に放出される。この結果、消臭装置１と同様にして、消臭対象空間に放出された微量のオゾンが、消臭対象空間を構成する壁面等に付着した臭気成分の発生源を直接的に消臭する。
【００１７】
一方、人体への影響を考慮した場合、オゾン案内用流路５を介して吹出口１２から放出されるオゾン量を適正量に制御する必要がある。このため、放出量調節手段１３をスライドまたは回転させることにより、吹出口１２の一部が閉塞される。この結果、この消臭装置１１によれば、吹出口１２から放出されるオゾン量を適正量に調整することができる。
【００１８】
なお、本発明に係る消臭装置は、上記した構成に限定されず、適宜変更が可能である。例えば、図１に破線で示すように、流量制御弁等の流量調節手段１４をオゾン案内用流路５内に配設し、流量調節手段１４を調整することによって吹出口８から放出されるオゾンの量を制御する構成を採用することもできる。この場合、流量調節手段１４は、放出量調節手段１３と同等の機能を有する遮蔽板で構成することができる。また、図２に破線で示すように、放出量調節手段１３に代えて、または放出量調節手段１３と共に流量調節手段１４を配設することもできる。この流量調節手段１４を配設した構成によれば、放出量調節手段１３を配設した構成と同様にして、吹出口８または吹出口１２から放出されるオゾン量を適正量に調整することができる。また、消臭装置１において、オゾン生成部３にオゾン排出口３ａのみを形成し、オゾン生成部３のオゾン排出口３ａとオゾン分解用触媒４との間の流路９と、オゾン案内用流路５とを連通させる構成を採用することもできる。この構成によれば、消臭処理後のオゾンが残存する空気の一部が吹出口８を介して消臭対象空間に放出される。このため、１つのオゾン排出口３ａをオゾン生成部３に形成すればよいため、オゾン生成部３、ひいては消臭装置１を簡易に構成することができる。さらに、オゾン生成部３については、各種公知回路で構成することができる。
【００１９】
【発明の効果】
以上のように、請求項１，２記載の消臭装置によれば、オゾン生成部によって生成されたオゾンの一部をオゾン案内用流路および第１の吹出口（または第２の吹出口）を介して消臭対象空間に放出することにより、消臭対象空間内の空気に含まれている臭気成分のみならず、壁等の表面に付着している臭気成分の発生源を直接的に消臭処理することができる。この結果、臭気成分の発生源が消臭されるため、大きな消臭効果と優れた即効性とを有する消臭装置を実現することができる。
【００２０】
また、請求項３，４記載の消臭装置によれば、オゾン案内用流路内におけるオゾンの流量を調節するための流量調節手段、または放出されるオゾンの量を調節するための放出量調節手段を備えたことにより、消臭対象空間に放出されるオゾンの量を人体に安全な適正量に正確に制御することができ、これにより、安全性に優れた消臭装置を提供することができる。
【図面の簡単な説明】
【図１】本発明の実施の形態に係る消臭装置１の構成を示すブロック図である。
【図２】本発明の実施の形態に係る消臭装置１１の構成を示すブロック図である。
【図３】従来の消臭装置５１の構成を示すブロック図である。
【符号の説明】
１，１１  消臭装置
２  ファン
３  オゾン生成部
３ａ，３ｂ  オゾン排出口
４  オゾン分解用触媒
５  オゾン案内用流路
６  装置ケース
７  吸入口
８，１２  吹出口
９  流路
１３  放出量調節手段
１４  流量調節手段
【図１】
0004485673.tif 000002
【図２】
0004485673.tif 000003
【図３】
0004485673.tif 000004